(57)【要約】【課題】無線式の中継装置を用いた場合に、電子マネー端末の通信履歴を電子マネー事業者が確認できるようにすること。【解決手段】電子マネー端末４は、電子マネーカード１５が記憶したバリューを増減させてチャージ・決済を行い、この処理の内容を記録した利用ログデータを記憶する。電子マネー端末４は、記憶した利用ログデータを電子マネーサーバ８に送信する。無線装置５は、電子マネー端末４が利用ログデータを送信する際に、無線通信によって基地局６に接続し、電子マネー端末４を通信網７に接続する。そして、無線装置５は、電子マネー端末４の端末ＩＤと共に電子マネー端末４と電子マネーサーバ８との通信履歴を記録し、自己の記憶装置に記憶する。記憶した端末ＩＤと通信履歴は後ほど無線装置５から端末管理サーバ９に送信される。【選択図】図１
2008097329.tif 000002
【特許請求の範囲】
【請求項１】
貨幣価値の金額を電子データとして記憶し、金額変更情報を用いて前記記憶した貨幣価値の金額を変更する貨幣端末と、前記貨幣端末に金額変更情報を入力する電子マネー端末と、前記電子マネー端末から、前記貨幣端末と前記電子マネー端末との取引履歴を通信ネットワークを介して受信する電子マネーサーバと、を用いて構成された電子マネーシステムにおいて使用する通信中継装置であって、
前記電子マネー端末と接続する端末接続手段と、
前記通信ネットワークに無線通信にて接続する無線接続手段と、
前記接続した通信ネットワークを介して、前記接続した電子マネー端末と前記電子マネーサーバとの通信を中継する中継手段と、
前記中継した前記電子マネー端末と前記電子マネーサーバの通信履歴を記憶する通信履歴記憶手段と、
前記記憶した通信履歴を所定のサーバに送信する通信履歴送信手段と、
を具備したことを特徴とする通信中継装置。
【請求項２】
前記電子マネー端末から、当該電子マネー端末のＩＤ情報である端末ＩＤを取得する端末ＩＤ取得手段を具備し、
前記通信履歴送信手段は、前記取得した端末ＩＤを前記記憶した通信履歴と共に前記所定のサーバに送信することを特徴とする請求項１に記載の通信中継装置。
【請求項３】
前記電子マネー端末から、当該電子マネー端末のＩＤ情報である端末ＩＤを取得する端末ＩＤ取得手段と、
前記取得した端末ＩＤを前記所定のサーバに送信する端末ＩＤ送信手段と、
を具備したことを特徴とする請求項１に記載の通信中継装置。
【請求項４】
前記通信履歴送信手段は、前記所定のサーバから接続要求を受けた場合に、前記所定のサーバに接続することを特徴とする請求項１、請求項２、又は請求項３に記載の通信中継装置。
【請求項５】
前記通信履歴送信手段は、前記所定のサーバに接続要求を行って接続することを特徴とする請求項１から請求項４までのうちの何れか１の請求項に記載の通信中継装置。
【請求項６】
前記所定のサーバは前記電子マネーサーバであって、前記通信履歴送信手段は、前記電子マネー端末と前記電子マネーサーバが通信する際に前記通信履歴を前記電子マネーサーバに送信することを特徴とする請求項１から請求項５までのうちの何れか１の請求項に記載の通信中継装置。
【請求項７】
貨幣価値の金額を電子データとして記憶し、金額変更情報を用いて前記記憶した貨幣価値の金額を変更する貨幣端末と、前記貨幣端末に金額変更情報を入力する電子マネー端末と、前記電子マネー端末から、前記貨幣端末と前記電子マネー端末との取引履歴を通信ネットワークを介して受信する電子マネーサーバと、を用いて構成された電子マネーシステムにおいて使用する通信中継装置が行う通信中継方法であって、
前記通信中継装置は、端末接続手段と、無線接続手段と、中継手段と、通信履歴記憶手段と、通信履歴送信手段と、を備え、
前記端末接続手段で、前記電子マネー端末と接続する端末接続ステップと、
前記無線接続手段で、前記通信ネットワークに無線通信にて接続する無線接続ステップと、
前記中継手段で、前記接続した通信ネットワークを介して、前記接続した電子マネー端末と前記電子マネーサーバとの通信を中継する中継ステップと、
前記通信履歴記憶手段で、前記中継した前記電子マネー端末と前記電子マネーサーバの通信履歴を記憶する通信履歴記憶ステップと、
前記通信履歴送信手段で、前記記憶した通信履歴を所定のサーバに送信する通信履歴送信ステップと、
から構成されたことを特徴とする通信中継方法。
【発明の詳細な説明】
【技術分野】
【０００１】
本発明は、通信中継装置、及び通信中継方法に関し、例えば、電子マネーの利用ログデータの送信を無線通信によって中継するものに関する。
【背景技術】
【０００２】
近年、電子マネーを用いた電子マネーシステムが広く利用されるようになってきた。
電子マネーは、バリューと呼ばれる金銭的な貨幣価値を対応させた電子データを電子マネーカードに記憶させ、このバリューの金額を増減することによりバリューを交換価値として流通させるものである。
電子マネーカードが利用可能な加盟店には、顧客の電子マネーカードにアクセスする電子マネー端末が備えてあり、電子マネー端末と電子マネーカードが通信を行うことにより、電子マネーカード内のバリューが増減され、これによって顧客と加盟店の間で金銭的価値の授受が行われる。
【０００３】
電子マネー端末は、電子マネーカードとの情報処理の内容を利用ログデータとして記憶しておき、これをバッチ処理にて一括して電子マネーサーバに送信する。
電子マネーサーバは、各加盟店の電子マネー端末から利用ログデータを収集し、収集された利用ログデータは電子マネー事業者がバリューの流通を把握するのに用いられている。
【０００４】
一般的に、電子マネー端末は有線通信によって電子マネーサーバと接続するが、例えば、タクシーなどの移動体や自動販売機など有線接続ができないもの、あるいは無線通信の方が好ましいものに関しては、電子マネー端末にモデムを設置し、無線通信にて携帯電話網の基地局に接続している。
このように、電子マネーの処理を無線モデム経由で行う技術として、次の自動販売機用ＩＣカードリーダライタ及び自動販売機がある。
この技術は、有線通信と無線通信を選択可能とすることにより、電子マネー端末の設置状況に左右されずに確実に取引ログデータを収集するものである。
【特許文献１】特開２００１−２７３５４７公報
【発明の開示】
【発明が解決しようとする課題】
【０００５】
無線通信は、有線通信に比べて通信状態が不安定になる場合があり、電子マネー事業者側でモデムの通信履歴を確認したいとの要望があった。
しかし、モデムの通信履歴を管理しているのは電話事業者であって、電子マネー事業者がモデムの通信履歴を適宜確認することはできなかった。
【０００６】
そこで、本発明の目的は、無線式の中継装置を用いた場合に、電子マネー端末の通信履歴を電子マネー事業者が確認できるようにすることである。
【課題を解決するための手段】
【０００７】
本発明は、前記目的を達成するために、請求項１に記載の発明では、貨幣価値の金額を電子データとして記憶し、金額変更情報を用いて前記記憶した貨幣価値の金額を変更する貨幣端末と、前記貨幣端末に金額変更情報を入力する電子マネー端末と、前記電子マネー端末から、前記貨幣端末と前記電子マネー端末との取引履歴を通信ネットワークを介して受信する電子マネーサーバと、を用いて構成された電子マネーシステムにおいて使用する通信中継装置であって、前記電子マネー端末と接続する端末接続手段と、前記通信ネットワークに無線通信にて接続する無線接続手段と、前記接続した通信ネットワークを介して、前記接続した電子マネー端末と前記電子マネーサーバとの通信を中継する中継手段と、前記中継した前記電子マネー端末と前記電子マネーサーバの通信履歴を記憶する通信履歴記憶手段と、前記記憶した通信履歴を所定のサーバに送信する通信履歴送信手段と、を具備したことを特徴とする通信中継装置を提供する。
請求項２に記載の発明では、前記電子マネー端末から、当該電子マネー端末のＩＤ情報である端末ＩＤを取得する端末ＩＤ取得手段を具備し、前記通信履歴送信手段は、前記取得した端末ＩＤを前記記憶した通信履歴と共に前記所定のサーバに送信することを特徴とする請求項１に記載の通信中継装置を提供する。
請求項３に記載の発明では、前記電子マネー端末から、当該電子マネー端末のＩＤ情報である端末ＩＤを取得する端末ＩＤ取得手段と、前記取得した端末ＩＤを前記所定のサーバに送信する端末ＩＤ送信手段と、を具備したことを特徴とする請求項１に記載の通信中継装置を提供する。
請求項４に記載の発明では、前記通信履歴送信手段は、前記所定のサーバから接続要求を受けた場合に、前記所定のサーバに接続することを特徴とする請求項１、請求項２、又は請求項３に記載の通信中継装置を提供する。
請求項５に記載の発明では、前記通信履歴送信手段は、前記所定のサーバに接続要求を行って接続することを特徴とする請求項１から請求項４までのうちの何れか１の請求項に記載の通信中継装置を提供する。
請求項６に記載の発明では、前記所定のサーバは前記電子マネーサーバであって、前記通信履歴送信手段は、前記電子マネー端末と前記電子マネーサーバが通信する際に前記通信履歴を前記電子マネーサーバに送信することを特徴とする請求項１から請求項５までのうちの何れか１の請求項に記載の通信中継装置を提供する。
請求項７に記載の発明では、貨幣価値の金額を電子データとして記憶し、金額変更情報を用いて前記記憶した貨幣価値の金額を変更する貨幣端末と、前記貨幣端末に金額変更情報を入力する電子マネー端末と、前記電子マネー端末から、前記貨幣端末と前記電子マネー端末との取引履歴を通信ネットワークを介して受信する電子マネーサーバと、を用いて構成された電子マネーシステムにおいて使用する通信中継装置が行う通信中継方法であって、前記通信中継装置は、端末接続手段と、無線接続手段と、中継手段と、通信履歴記憶手段と、通信履歴送信手段と、を備え、前記端末接続手段で、前記電子マネー端末と接続する端末接続ステップと、前記無線接続手段で、前記通信ネットワークに無線通信にて接続する無線接続ステップと、前記中継手段で、前記接続した通信ネットワークを介して、前記接続した電子マネー端末と前記電子マネーサーバとの通信を中継する中継ステップと、前記通信履歴記憶手段で、前記中継した前記電子マネー端末と前記電子マネーサーバの通信履歴を記憶する通信履歴記憶ステップと、前記通信履歴送信手段で、前記記憶した通信履歴を所定のサーバに送信する通信履歴送信ステップと、から構成されたことを特徴とする通信中継方法を提供する。
【発明の効果】
【０００８】
本発明によれば、中継装置に通信履歴を記録させてこれを参照することにより、電子マネー事業者が電子マネー端末の通信履歴を確認できる。
【発明を実施するための最良の形態】
【０００９】
（１）実施の形態の概要
電子マネー端末４（図１）は、電子マネーカード１５が記憶したバリューを増減させてチャージ・決済を行い、この処理の内容を記録した利用ログデータを記憶する。電子マネー端末４は、記憶した利用ログデータを例えば１日１回程度バッチ処理にて電子マネーサーバ８に送信する。
【００１０】
無線装置５は、電子マネー端末４が利用ログデータを送信する際に、無線通信によって基地局６に接続し、電子マネー端末４を通信網７に接続する。そして、無線装置５は、電子マネー端末４の端末ＩＤと共に電子マネー端末４と電子マネーサーバ８との通信履歴を記録し、自己の記憶装置に記憶する。記憶した端末ＩＤと通信履歴は後ほど無線装置５から端末管理サーバ９に送信される。
【００１１】
端末管理サーバ９は、無線装置５から端末ＩＤと通信履歴を受信して記憶する。
このように、電子マネーセンタ２は、無線装置５から通信履歴と端末ＩＤを取得することにより、電子マネー端末４の状態や通信費用などを監視することができ、また、無線装置５に接続している電子マネー端末４を特定することができる。
【００１２】
（２）実施の形態の詳細
図１は、電子マネーシステム１のネットワーク構成を示した図である。
電子マネーシステム１は、電子マネーセンタ２に設置された電子マネーサーバ８、端末管理サーバ９、管理端末１０、加盟店３に設置された電子マネー端末４、無線装置５、電子マネーを使用する顧客が所有する電子マネーカード１５、通信事業者が提供する通信施設である基地局６、通信網７などから構成されている。
【００１３】
電子マネーカード１５は、電子マネー処理機能を有するＩＣチップである電子マネーＩＣチップと、電子マネー端末４と通信するためのアンテナを内蔵している。
電子マネーカード１５は、電子マネー端末４から近距離の無線通信によって金額変更情報を受信し、これに基づいて当該電子マネーＩＣチップが記憶しているバリューの増額（チャージ）、及び減額（決済）を行うことができる。電子マネーＩＣチップを駆動するための電力は、電子マネー端末４から無線により供給される。
電子マネーシステム１の運営事業者は、チャージの際にバリューに対応する金額の貨幣（通貨）をユーザから徴収すると共に、バリューで決済を行った加盟店３に、決済金額に応じて貨幣を分配することにより、バリューと通貨との対応をとっている。
【００１４】
なお、バリューとは、電子マネーシステム１において貨幣に該当する概念であって、貨幣価値の金額を電子データとして表した貨幣情報である。
本実施の形態では、電子マネーＩＣチップを非接触型（無線によりアクセスを受け付けるもの）とするが、接触型（電極の接触によりアクセスを受け付けるもの）を用いてもよい。
このように、電子マネーカード１５に内蔵された電子マネーＩＣチップは、電子マネー端末４や電子マネーサーバ８などと通信する端末であって、貨幣価値の金額を電子データとして記憶する貨幣端末として機能している。
【００１５】
加盟店３は、電子マネーカード１５によってバリューでの決済やチャージが可能な店舗であり、例えば、コンビニエンスストア、デパート、レストランといった店舗のほか、営業車両などの移動体、あるいは自動販売機などの無人装置などで構成することもできる。  電子マネー端末４は、電子マネーカード１５にアクセスして金額変更情報を送信するアクセス端末であり、例えば、単独で設置されていたり、あるいは、会計装置（レジ）などに組み込まれて設置されている。
電子マネー端末４は、電子マネーカード１５に金額変更情報を送信し、チャージや決済を行うことができる。
なお、図１では、加盟店３を１店舗のみ図示しているが、これは複数存在することができる。
【００１６】
電子マネー端末４は、電子マネーカード１５との処理内容を記録した利用ログデータを蓄積しており、例えば、１日１回程度、電子マネーサーバ８にバッチ処理にて送信する。
この利用ログデータは、電子マネーサーバ８により解析され、例えば、バリューと貨幣の整合性を図るのに用いられる。
【００１７】
無線装置５は、通信中継装置として機能し、通信網７に設けられた基地局６との間に無線回線を確立することにより、電子マネー端末４と通信網７を接続する。本実施の形態では、一例として無線装置５を通信網７の携帯電話網に接続するモデムにより構成する。
無線装置５は、電子マネー端末４からの要求により、電子マネーサーバ８との間に通信セッションを確立し、電子マネー端末４が電子マネーサーバ８に利用ログデータを送信する際の中継を行う。
【００１８】
そして、無線装置５は、この際に、電子マネー端末４のＩＤ情報である端末ＩＤと通信履歴を取得して記憶しておく。無線装置５は、後ほど端末ＩＤと通信履歴を端末管理サーバ９に送信する。
通信履歴は、例えば、通信セッションの開始時刻、及び終了時刻、電子マネー端末４のＩＰアドレス、電子マネー端末４の接続先のＩＰアドレスなどの情報から構成されている。
【００１９】
電子マネーセンタ２は、電子マネーシステム１を運営する電子マネー事業者の管理組織であり、バリューの流通の把握や、電子マネー端末４、無線装置５などの設備類の管理を行っている。
電子マネーサーバ８は、単数のサーバ装置、又は複数のサーバ装置群から構成されており、電子マネー端末４から利用ログデータを受信して記憶する。
利用ログデータには、電子マネーカード１５のＩＤ情報である電子マネー機能部ＩＤ、使用日時分秒、決済した金額、又はチャージした金額、端末ＩＤなどの情報が含まれている。
【００２０】
端末管理サーバ９は、無線装置５から通信履歴を収集するサーバ装置であり、通信履歴の送信先である所定のサーバとして機能している。
無線装置５は、固有の電話番号を有しており、端末管理サーバ９はこの電話番号によって無線装置５に接続し、無線装置５から通信履歴を受信して記憶する。
管理端末１０は、例えば、電子マネーセンタ２の担当者が端末管理サーバ９に記憶されている通信履歴を閲覧するための端末装置である。
【００２１】
通信網７は、携帯電話網、電話回線網、インターネットなどのネットワークなどが接続して構成されており、電子マネー端末４と電子マネーサーバ８、及び電子マネー端末４と端末管理サーバ９が通信を行うための通信回線を提供する。
基地局６は、無線装置５との間で無線回線を確立し、電子マネー端末４を通信網７に接続する。
【００２２】
以上のように、電子マネーシステム１は、貨幣価値の金額をバリューと呼ばれる電子データとして記憶し、金額変更情報を用いて前記記憶した貨幣価値の金額を変更する貨幣端末（電子マネーＩＣチップ）と、前記貨幣端末に金額変更情報を入力する電子マネー端末と、前記電子マネー端末から、前記貨幣端末と前記電子マネー端末との取引履歴を通信ネットワークを介して受信する電子マネーサーバと、を用いて構成された電子マネーシステムとして機能しており、無線装置５は、当該電子マネーシステムで使用する通信中継装置として機能している。
なお、図１には図示していないが、電子マネーシステム１には、電子マネー端末４が有線通信にて直接電子マネーセンタ２に接続するものも多く存在する。
【００２３】
図２（ａ）は、電子マネーカード１５のハードウェア的な構成の一例を示したブロック図である。
電子マネーカード１５は、ＣＰＵ（Ｃｅｎｔｒａｌ  Ｐｒｏｃｅｓｓｉｎｇ  Ｕｎｉｔ）２１、高周波回路２２、アンテナ２６、ＲＯＭ（Ｒｅａｄ  Ｏｎｌｙ  Ｍｅｍｏｒｙ）２３、ＲＡＭ（Ｒａｎｄｏｍ  Ａｃｃｅｓｓ  Ｍｅｍｏｒｙ）２４、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）２５などを有している。
これらの素子は、電子マネーＩＣチップ上に形成されている。ただし、アンテナ２６は、電子マネーカード１５内部の外縁部付近、又は電子マネーカード１５の対角線を軸とする楕円曲線上に張り巡らされた空中線により構成され、端部が電子マネーＩＣチップに接続されている。
【００２４】
ＣＰＵ２１は、ＲＯＭ２３やＥＥＰＲＯＭ２５に記憶されている各種プログラムに従って情報処理を行う中央処理装置である。
また、ＣＰＵ２１は、アンテナ２６、高周波回路２２を介して、電子マネー端末４と近距離の無線通信を行うことができる。
アンテナ２６は、リーダライタ部４ａに内蔵されたアンテナと近距離の無線通信を行うためのアンテナである。
また、アンテナ２６は、リーダライタ部４ａからの電波により電子マネーカード１５を駆動するための電力を発電する。
高周波回路２２は、リーダライタ部４ａからアンテナ２６に送信されてきた高周波をデジタル信号に変換してＣＰＵ２１に出力したり、逆にＣＰＵ２１が出力したデジタル信号を高周波に変換してアンテナ２６からリーダライタ部４ａに送出する。
【００２５】
ＲＡＭ２４は、ＣＰＵ２１が情報処理を行う際のワーキングメモリを提供する随時書き込み読み出し可能なメモリである。
ＲＯＭ２３は、電子マネーカード１５を機能させるための基本的なプログラムやパラメータ、データなどを記憶した読み出し専用メモリである。
ＥＥＰＲＯＭ２５は、情報を書き込んだり消去したりが可能なＲＯＭである。ＥＥＰＲＯＭ２５に記憶してある情報は、電子マネーカード１５への電力の供給がない場合でも保たれる。
ＥＥＰＲＯＭ２５には、各種のプログラムやデータが記憶されている。
【００２６】
図２（ｂ）は、電子マネーカード１５の機能的な構成を模式的に表したブロック図である。
バリュー処理部２８は、ＥＥＰＲＯＭ２５に記憶されたバリュー処理プログラムをＣＰＵ２１で実行することにより構成される。
記憶部２９は、ＥＥＰＲＯＭ２５に形成されており、バリュー残高や電子マネー機能部ＩＤ、電子マネー端末４との取引履歴を記憶している。
端末通信部２７は、アンテナ２６などを用いて形成されており、電子マネー端末４のリーダライタ部４ａから金額変更情報などを受信してバリュー処理部２８に入力する。
【００２７】
バリュー処理部２８は、入力されたコマンドを実行する情報処理部である。
例えば、電子マネー端末４から金額変更情報を入力されると、記憶部２９に記憶してあるバリュー残高データを加減算すると共に、記憶部２９に記憶してある取引履歴を更新する。バリュー処理部２８が実行するコマンドとしては、この他に、バリュー残高や取引履歴を読み出すものなどがある。
【００２８】
以上、電子マネーカード１５の構成について説明したが、電子マネーＩＣチップを携帯電話に組み込んだものもある。
この携帯電話は、電子マネーカード１５と同様にリーダライタ部４ａと無線通信を行うアンテナが組み込んであり、電子マネーカード１５と同様に使用することができる。
以下では、電子マネーカード１５を用いた場合について説明するが、電子マネーＩＣチップを組み込んだ携帯電話も同様に用いることができる。
【００２９】
図３は、電子マネー端末４のハードウェア的な構成の一例を示した図である。
電子マネー端末４は、ＣＰＵ４１、ＲＯＭ４２、ＲＡＭ４３、通信制御部４４、記憶部４８、入力部４６、出力部４７、リーダライタ部４ａなどがバスラインで接続されて構成されている。
【００３０】
ＣＰＵ４１は、所定のプログラムに従って情報処理を行うほか、電子マネー端末４全体の制御などを行う。
本実施の形態では、ＣＰＵ４１は、金額変更情報を電子マネーカード１５に送信してチャージや決済を行わせたり、その際の利用ログデータを生成して記憶部４８に記憶させたりする。
ＲＯＭ４２は、電子マネー端末４を動作させるための基本的なプログラムやパラメータなどを記憶した読み出し専用メモリである。
ＲＡＭ４３は、ＣＰＵ４１のワーキングメモリを提供したり、記憶部４８に記憶されたプログラムやデータをロードして記憶したりなどする随時書き込み読み出し可能なメモリである。
【００３１】
通信制御部４４は、無線装置５に接続しており、無線装置５を介して電子マネー端末４を通信網７に接続する接続装置である。
記憶部４８は、例えばハードディスクやその他の記憶媒体と、これらを駆動する駆動装置から構成されており、各種プログラムを格納したプログラム格納部４９、データを格納したデータ格納部５０などから構成されている。
【００３２】
プログラム格納部４９には、電子マネー端末４を機能させるための基本的なプログラムであるＯＳや、電子マネーカード１５に金額変更情報を送信するためのプログラム、利用ログデータを電子マネーサーバ８に送信するためのプログラムなどが記憶されている。
データ格納部５０には、電子マネーカード１５との取引履歴である利用ログデータや端末ＩＤなどが記憶されている。
【００３３】
入力部４６は、会計装置のインターフェース（会計装置に組み込まれている場合）や、ユーザインターフェースなどに接続されている。
電子マネー端末４は、入力部４６から加盟店の担当者の操作などを受け付けて、チャージや決済などの各種処理を行う。
出力部４７は、会計装置のインターフェース（会計装置に組み込まれている場合）や、ユーザインターフェースなどに接続されている。
電子マネー端末４は、出力部４７から処理結果などの各種情報を出力し、加盟店の担当者に情報を提示したりなどする。
リーダライタ部４ａは、電子マネーカード１５や携帯電話の電子マネーＩＣチップと無線通信を行う。
【００３４】
図４は、無線装置５のハードウェア的な構成の一例を示した図である。
無線装置５は、ＣＰＵ５５、ＲＯＭ５６、ＲＡＭ５７、無線通信部５８、アンテナ５９、通信制御部６０、記憶部６１などがバスラインで接続されて構成されている。
ＣＰＵ５５は、所定のプログラムに従って、基地局６との無線回線の確立、電子マネー端末４の通信網７への接続、電子マネー端末４の端末ＩＤの取得、通信履歴の記録及び記憶、通信履歴の端末管理サーバ９への送信、端末管理サーバ９との間での機器認証などの各種情報処理や、無線装置５全体の制御などを行う。
【００３５】
ＲＯＭ５６は、ＯＳなどの無線装置５を動作させるための基本的なプログラムやパラメータなどを記憶した読み出し専用メモリである。
ＲＡＭ５７は、ＣＰＵ５５のワーキングメモリを提供したり、記憶部６１に記憶されたプログラムやデータをロードして記憶したりなどする随時書き込み読み出し可能なメモリである。
【００３６】
無線通信部５８は、アンテナ５９を用いて基地局６と無線回線を確立し、無線装置５を通信網７に接続する。
無線通信部５８は、通信ネットワーク（通信網７）に無線通信にて接続する無線接続手段として機能している。
【００３７】
通信制御部６０は、電子マネー端末４の通信制御部４４に接続しており、電子マネー端末４と通信を行う。通信制御部６０は、電子マネー端末４と接続する端末接続手段として機能している。
無線装置５は、一例として、シリアル接続型のモデムを使用しており、通信制御部６０には、１台の電子マネー端末４が接続している。
【００３８】
このように、無線装置５は、無線通信部５８を通信網７に接続し、通信制御部６０を電子マネー端末４に接続し、これによって電子マネー端末４を通信網７に接続することができる。
電子マネー端末４が通信先として電子マネーサーバ８を指定した場合、電子マネー端末４は、無線装置５、基地局６、及び通信網７を介して電子マネーサーバ８に接続され、無線装置５は、電子マネー端末４と電子マネーサーバ８の通信を中継する。
このように、無線装置５は、通信ネットワーク（通信網７）を介して、電子マネーサーバ８と電子マネー端末４との通信を中継する中継手段を備えている。
【００３９】
記憶部６１は、例えば、半導体記憶装置やハードディスクなどの記憶装置から構成されており、各種プログラムを格納したプログラム格納部６２、データを格納したデータ格納部６３などが形成されている。
プログラム格納部６２には、無線装置５を機能させるための基本的なプログラムであるＯＳや、電子マネー端末４の通信履歴を記録してデータ格納部６３に記憶するプログラム、記憶した通信履歴を端末管理サーバ９に送信するプログラムなどが記憶されている。
データ格納部６３には、電子マネー端末４の通信履歴などが記憶されている。
【００４０】
ＣＰＵ５５は、これらのプログラムを実行し、電子マネー端末４の通信履歴を記録して記憶したり、電子マネー端末４から端末ＩＤを取得したり、端末管理サーバ９と接続して端末管理サーバ９に通信履歴や端末ＩＤを送信したりする。
このように、ＣＰＵ５５でこれらのプログラムを実行することにより、電子マネー端末４と電子マネーサーバ８の通信履歴を記憶する通信履歴記憶手段と、電子マネー端末４から端末ＩＤを取得する端末ＩＤ取得手段と、通信履歴を所定のサーバ（端末管理サーバ９）に送信する通信履歴送信手段、あるいは端末ＩＤ送信手段が実現される。
【００４１】
図５は、電子マネーサーバ８のハードウェア的な構成の一例を示した図である。
電子マネーサーバ８は、ＣＰＵ７１、ＲＯＭ７２、ＲＡＭ７３、通信制御部７４、記憶部７５などがバスラインで接続されて構成されている。
【００４２】
ＣＰＵ７１は、所定のプログラムに従って各種の情報処理を行う中央処理装置である。本実施の形態では、電子マネー端末４から利用ログデータを受信して記憶し、これを解析したりなどする。
ＲＯＭ７２は、読み出し専用のメモリであり、電子マネーサーバ８を動作させるための基本的なプログラムやパラメータなどが記憶されている。
ＲＡＭ７３は、読み書き可能なメモリであって、ＣＰＵ７１のワーキングメモリを提供したり、記憶部７５に記憶されたプログラムやデータをロードして記憶したりなどする。
通信制御部７４は、電子マネーサーバ８を通信網７に接続するための制御部である。電子マネーサーバ８は、通信制御部７４を介して通信網７に接続し、電子マネー端末４と通信することができる。
【００４３】
記憶部７５は、例えばハードディスクなどの大容量の記憶装置を用いて構成されており、各種プログラムを格納したプログラム格納部７６、データを格納したデータ格納部７７などから構成されている。
プログラム格納部７６には、電子マネーサーバ８を機能させるための基本的なプログラムであるＯＳや、利用ログデータを解析するためのプログラム、その他のプログラムが格納されている。
データ格納部７７には、加盟店の情報を記憶した加盟店情報、利用ログデータなどが格納されている。
【００４４】
端末管理サーバ９のハードウェア的な構成は、基本的に電子マネーサーバ８と同様である。以下、図５の符号を援用して説明する。
ＣＰＵ７１は、所定のプログラムに従って各種の情報処理を行う中央処理装置であり、無線装置５に接続する機能、無線装置５に通信履歴を要求し、これに対して無線装置５が送信してきた通信履歴を受信して記憶部７５に記憶する機能、管理端末１０に通信履歴を閲覧させる機能などを発揮する。
【００４５】
ＲＯＭ７２と、ＲＡＭ７３の機能は、電子マネーサーバ８と同様である。
通信制御部７４は、端末管理サーバ９を通信網７に接続するための制御部である。端末管理サーバ９は、通信制御部７４を介して通信網７に接続し、電子マネー端末４と通信することができる。
【００４６】
記憶部７５は、例えばハードディスクなどの大容量の記憶装置を用いて構成されており、各種プログラムを格納したプログラム格納部７６、データを格納したデータ格納部７７などから構成されている。
プログラム格納部７６には、端末管理サーバ９を機能させるための基本的なプログラムであるＯＳや、無線装置５から通信履歴を受信して記憶部７７に記憶するためのプログラム、その他のプログラムが格納されている。
データ格納部７７には、無線装置５から受信した通信履歴や、無線装置５と、当該無線装置５に接続している電子マネー端末４の端末ＩＤの組合せなどが記憶されている。
【００４７】
次に、図６のフローチャートを用いて、無線装置５が通信履歴を記録して記憶する手順について説明する。
以下の処理は、電子マネー端末４のＣＰＵ４１、無線装置５のＣＰＵ５５、及び電子マネーサーバ８のＣＰＵ７１が所定のプログラムに従って行うものである。
まず、電子マネー端末４は、電子マネーカード１５との情報処理に関する利用ログデータをデータ格納部５０に蓄積しておく。
電子マネー端末４は、例えば、所定の時刻になると、無線装置５に電子マネーサーバ８との通信回線を接続するように要求する（ステップ５）。
【００４８】
無線装置５は、電子マネー端末４から通信回線接続要求を受信すると、基地局６を介して通信網７に接続する。
そして、無線装置５は、電子マネー端末４と電子マネーサーバ８の間に通信回線を確立し、通信セッションを開始する（ステップ１０）。
【００４９】
電子マネー端末４は、電子マネーサーバ８に接続すると、データ格納部５０（図３）に記憶してある利用ログデータと端末ＩＤを無線装置５に送信する（ステップ１５）。
無線装置５は、電子マネー端末４から受信した端末ＩＤと利用ログデータを電子マネーサーバ８に転送する（ステップ２０）。
ここでは、簡単のため、端末ＩＤと利用ログデータを同時に電子マネーサーバ８に送信したが、この端末ＩＤと利用ログデータの送信は、例えば、電子マネー端末４が電子マネーサーバ８に端末ＩＤを送信して機器認証を行い、機器認証後に電子マネー端末４が電子マネーサーバ８に利用ログデータを送信するというように、電子マネーサーバ８側で端末ＩＤと利用ログデータの対応関係が分かればよい。
【００５０】
電子マネーサーバ８は、無線装置５の中継処理により電子マネー端末４から端末ＩＤと利用ログデータを受信し、これをデータ格納部７７（図５）に記憶する（ステップ２５）。
次に、無線装置５は、通信セッションが終了する前に、電子マネー端末４の端末ＩＤを取得する（ステップ３０）。
この端末ＩＤの取得処理は、例えば、無線装置５が電子マネー端末４に端末ＩＤの送信を要求し、この要求に対して電子マネー端末４が送信してきた端末ＩＤを無線装置５が受信することにより行われる。
また、通信セッションが終了する前に端末ＩＤを取得することにより、たとえ、無線装置５に接続される電子マネー端末４が他の電子マネー端末４に付け替えられた場合でも、通信セッションを確立した電子マネー端末４の端末ＩＤを確実に得ることができる。
【００５１】
電子マネー端末４と電子マネーサーバ８との間の通信が終了すると、無線装置５は通信セッションを終了する（ステップ３５）。
無線装置５は、通信セッションを終了すると、通信履歴を生成し、これを電子マネー端末４から取得した端末ＩＤと対応させてデータ格納部６３（図４）に記憶する。
通信履歴には、例えば、通信セッション開始時刻、通信セッション終了時刻、電子マネー端末４のＩＰアドレス、接続先のＩＰアドレスなどが含まれている。
以上のようにして、無線装置５は、電子マネー端末４が電子マネーサーバ８に利用ログデータを送信する際の通信セッションを確立すると共に、通信履歴を記録して、保存することができる。
【００５２】
次に、図７のフローチャートを用いて、無線装置５が端末管理サーバ９に通信履歴を送信する手順について説明する。
以下の処理は、図５を援用する端末管理サーバ９のＣＰＵ７１、無線装置５のＣＰＵ５５が所定のプログラムに従って行うものである。
まず、端末管理サーバ９が無線装置５の電話番号を用いるなどして無線装置５にアクセスし、無線装置５に対して回線接続要求を行う（ステップ５０）。
この処理は、端末管理サーバ９が予め決められた時刻に行うなど、自動的に行ってもよいし、あるいは電子マネーセンタ２の担当者が端末管理サーバ９に対して所定の操作を行うことにより無線装置５にアクセスさせてもよい。
【００５３】
なお、本実施の形態では、端末管理サーバ９から無線装置５に接続要求を行ったが、無線装置５側から端末管理サーバ９に接続要求するように構成することもできる。
この場合、無線装置５は、端末管理サーバ９のＩＰアドレスを記憶しており、例えば、予め決められた時刻になると、当該ＩＰアドレスを用いて端末管理サーバ９にアクセスし、接続要求を行う。
【００５４】
無線装置５は、端末管理サーバ９から接続要求を受けると、端末管理サーバ９と接続し、これによって、端末管理サーバ９と無線装置５の間で通信セッションか開始される（ステップ５５）。
なお、無線装置５と端末管理サーバ９は、通信セッションを開始するに際して、互いに相手方が正統な機器であるか否かを機器認証し、互いが認証された場合に通信セッションを開始するように構成することもできる。
【００５５】
通信セッションが開始すると、端末管理サーバ９は、無線装置５に対して通信履歴の送信を要求する（ステップ６０）。
無線装置５は、端末管理サーバ９から通信履歴の送信要求を受け付けると、データ格納部６３（図４）に記憶してある端末ＩＤと通信履歴を読み出し、これらを対応づけて端末管理サーバ９に送信する（ステップ６５）。
【００５６】
端末管理サーバ９は、無線装置５から端末ＩＤと通信履歴を受信し、これらを対応づけてデータ格納部７７（図５を援用する端末管理サーバ９の構成）に記憶する（ステップ７０）。
端末管理サーバ９は、端末ＩＤ、通信履歴の記憶を終了すると、無線装置５との通信回線を切断し、これによって無線装置５と端末管理サーバ９の通信セッションが終了する（ステップ７５）。
通信セッションが終了すると、無線装置５は、データ格納部６３の端末ＩＤと通信履歴をクリア（消去）し、次の記憶に備える（ステップ８０）。
【００５７】
以上のようにして、端末管理サーバ９は、通信履歴と、当該通信履歴に係る端末ＩＤを無線装置５から取得することができる。
ところで、電子マネー端末４から電子マネーサーバ８への利用ログデータの送信と、無線装置５から端末管理サーバ９への通信履歴の送信は独立した処理であるため、電子マネーセンタ２が受信した通信履歴が無線装置５の最新の履歴と異なる場合がある。
例えば、無線装置５が通信履歴を送信してから次の送信履歴を送信するまでに行われた利用ログデータの送信に関する通信履歴は、当該次の通信履歴が送信されるまで端末管理サーバ９は把握することができない。
【００５８】
そこで、電子マネー端末４が電子マネーサーバ８に利用ログデータを送信するタイミングと、無線装置５が端末管理サーバ９に通信履歴を送信するタイミングを同期させると、端末管理サーバ９は、常に現在の通信履歴を取得することができる。
この場合、例えば、無線装置５を、電子マネー端末４が利用ログデータを送信した後、端末管理サーバ９に通信履歴を送信するように構成する。
又は、電子マネーサーバ８が利用ログデータを受信したことを端末管理サーバ９に通知し、この通知に基づいて端末管理サーバ９が無線装置５に通信履歴を要求するように構成してもよい。
【００５９】
ところで、電子マネーセンタ２は、無線装置５に接続している電子マネー端末４を特定したい場合がある。
この場合、上述のように端末管理サーバ９から無線装置５に通信履歴を要求してもよいが、図７のステップ６０で端末ＩＤ送信要求を行い、ステップ６５で無線装置５が電子マネー端末４から端末ＩＤを読み取って（端末ＩＤ取得手段）端末管理サーバ９に送信するように（端末ＩＤ送信手段）構成することもできる。
電子マネーセンタ２では、電子マネー端末４とモデムの組合せを管理しており、従来は、担当者が手作業で組合せを端末に入力していたが、モデムとして無線装置５を用いることにより電子マネーセンタ２は、無線装置５と電子マネー端末４の組合せを自動的に取得することができる。
【００６０】
次に、端末管理サーバ９に記憶された通信履歴の利用方法の一例について説明する。
図８は、管理端末１０から端末管理サーバ９にアクセスし、管理端末１０のディスプレイに通信履歴の閲覧画面が表示されたところを示している。
このように、端末管理サーバ９には、通信履歴を閲覧するアプリケーションソフトがインストールしてあり、電子マネーセンタ２の担当者は、管理端末１０から当該アプリケーションソフトを用いて通信履歴を閲覧することができる。
【００６１】
閲覧画面は、「電話番号」、「端末ＩＤ」、「ＩＰアドレス」、「最終通信」、・・・、「状態」、「料金」などの各項目から構成されている。
「電話番号」は、無線装置５の電話番号である。
「端末ＩＤ」は、無線装置５から通信履歴と共に受信した端末ＩＤであり、通信履歴の記録時に無線装置５に接続されていた電子マネー端末４の端末ＩＤを意味する。
「ＩＰアドレス」は、電子マネー端末４のＩＰアドレスである。
「最終通信」は、無線装置５が最後に通信セッションを確立した日にちである。
以上の項目は、端末管理サーバ９のデータ格納部７７に記憶されている端末ＩＤと通信履歴の内容を端末管理サーバ９が管理端末１０に表示させたものである。
【００６２】
「状態」は、無線装置５のステータスを表す情報であり、「利用中」、「停止中」、「開通待ち」、「出荷済み」などの状態がある。
端末管理サーバ９は、「最終通信」が所定の期間内（例えば、１ヶ月以内）であるか否かを判断し、所定の期間内である場合は、当該無線装置５の状態を「利用中」に設定し、所定の期間内にない場合は「停止中」に設定する。
【００６３】
また、「開通待ち」の状態は、既に無線装置５が加盟店３に設置され、稼動するのを待っている状態であり、「出荷済み」の状態は、加盟店３に対して出荷され、まだ設置されていない状態である。「開通待ち」と「出荷済み」は、電子マネーセンタ２の担当者が管理端末１０から端末管理サーバ９に手動にて設定する。
【００６４】
「料金」は、電子マネー端末４が通信網７を利用した通信料金であり、通信履歴の通信時間などから端末管理サーバ９が計算したものである。
本実施の形態では、電子マネー端末４は、電子マネーサーバ８と通信するように構成されているため、この料金は、電子マネー端末４が電子マネーサーバ８に利用ログデータを送信するのに要した通信費用となる。
【００６５】
電子マネーセンタ２で電子マネー端末４の通信費用が分かると次のような事業上の利点がある。
電子マネーシステム１では、利用ログデータ送信の通信費用は加盟店３が負担することになっている。
ところが、加盟店３が個別に電話事業者と契約すると割高になるため、電子マネーセンタ２が電話事業者と大量の通信回線を一括契約し、１通信回線当たりの単価を下げている。
【００６６】
そして、電子マネーセンタ２は、この通信回線を加盟店３に使用させて通信費用を立て替えておき、後ほど加盟店３に請求している。
このため、電子マネーセンタ２で加盟店３に請求する通信費用を監視することにより、加盟店３に請求する金額を見積もったり、加盟店３からの通信費用に関する問い合わせに応じたりすることができる。
【００６７】
また、電子マネー端末４が直接通信網７に接続する場合は確実に電子マネーサーバ８に接続できるが、無線装置５を介して通信網７に接続する場合、電波状況や障害物の存在などにより通信状態が不安定になる場合がある。
通信状態が不安定になると、無線装置５は通信のリトライを繰り返し、これによって通信費用が増える場合がある。このような不具合は、無線装置５の通信履歴や通信費用の異常値を電子マネーセンタ２で監視することにより、早期発見して是正することができる。
【００６８】
以上に本実施の形態の電子マネーシステム１について説明したが、各種の変形が可能である。
例えば、電子マネーシステム１では、無線装置５と電子マネー端末４は１対１で接続したが、無線装置５に複数の電子マネー端末４を接続することも可能である。
無線装置５は、端末ＩＤと通信履歴を対応づけて記憶するため、複数の電子マネー端末４の通信履歴が混在しても、端末管理サーバ９では、通信履歴が何れの電子マネー端末４のものであるかを識別することができる。
この場合、図８の閲覧画面では、１つの「電話番号」に対し、複数の「端末ＩＤ」、「ＩＰアドレス」などの各項目が対応づけられる。
【００６９】
また、電子マネーシステム１で電子マネーサーバ８と端末管理サーバ９が別体として構成されているのは、電子マネーサーバ８は既に完成したシステムとして存在し、端末管理サーバ９を後から構築したためである。
そのため、電子マネーサーバ８と端末管理サーバ９は別体である必要はなく、一体として電子マネーサーバ８に端末管理サーバ９の機能を形成してもよい。
この場合、電子マネー端末４が電子マネーサーバ８に利用ログデータを送信するなど、電子マネー端末４と電子マネーサーバ８が通信する際に、無線装置５が電子マネーサーバ８に通信履歴を送信するように構成することもできる。
【００７０】
以上に説明した本実施の形態により次のような効果を得ることができる。
（１）無線装置５は、電子マネー端末４の通信履歴を記録し、これを電子マネーセンタ２に送信することができる。
（２）無線装置５は、電子マネー端末４の端末ＩＤを読み取り、これを電子マネーセンタ２に送信することができる。
（３）電子マネーセンタ２は、無線装置５から電子マネー端末４の通信履歴を受信することができ、これによって電子マネー端末４の通信を監視することができる。
（４）電子マネーセンタ２は、無線装置５から端末ＩＤを受信することにより、無線装置５に接続している電子マネー端末４を特定することができる。
【図面の簡単な説明】
【００７１】
【図１】電子マネーシステムのネットワーク構成を示した図である。
【図２】電子マネーカードの構成を説明するための図である。
【図３】電子マネー端末のハードウェア的な構成の一例を示した図である。
【図４】無線装置のハードウェア的な構成の一例を示した図である。
【図５】電子マネーサーバのハードウェア的な構成の一例を示した図である。
【図６】無線装置が通信履歴を記録して記憶する手順を説明するためのフローチャートである。
【図７】無線装置が端末管理サーバに通信履歴を送信する手順を説明するためのフローチャートである。
【図８】閲覧画面を説明するための図である。
【符号の説明】
【００７２】
１  電子マネーシステム
２  電子マネーセンタ
３  加盟店
４  電子マネー端末
５  無線装置
６  基地局
７  通信網
８  電子マネーサーバ
９  端末管理サーバ
１０  管理端末
１５  電子マネーカード
【図１】
2008097329.tif 000003
【図２】
2008097329.tif 000004
【図３】
2008097329.tif 000005
【図４】
2008097329.tif 000006
【図５】
2008097329.tif 000007
【図６】
2008097329.tif 000008
【図７】
2008097329.tif 000009
【図８】
2008097329.tif 000010